(57)【特許請求の範囲】
【請求項１】
薬液、該薬液を封入する容器および該薬液を送り出す部材を有する薬液タンクと、前記薬液を所望の部位に配送し、該薬液を付与する付与部材と、前記薬液タンクから付与部材までの薬液を供給する通路部とを備える薬液供給装置であり、
前記薬液タンクがエアゾール製品であり、
前記付与部材が、液化ガスを吸収および／または吸着しやすいゲル、高吸水性樹脂、多孔性粉末から選ばれるものを充填したアーチ状の冷却体に前記通路部の一部である吐出チューブが挿通されており、前記吐出チューブが前記冷却体内を蛇行していると共に、前記吐出チューブの側面に、液化ガスを含むエアゾール組成物を前記冷却体に供給できる孔が形成されてなる薬液供給装置。
【請求項２】
前記付与部材を複数個配設し、付与部材への薬液の供給または停止を切り替える切替え部にて所望の付与部材への薬液の供給を操作する請求項１記載の薬液供給装置。
【請求項３】
前記切替え部が前記通路部上に配置されてなる請求項２記載の薬液供給装置。
【請求項４】
前記付与部材が衣類または人体に固定されてなる請求項１、２または３記載の薬液供給装置。
【発明の詳細な説明】
【０００１】
【発明の属する技術分野】
本発明は薬液供給装置に関する。さらに詳しくは、人体に装着でき、薬液を付与したい部位（患部など）から離れた位置で操作ボタンなどを操作して、消炎鎮痛剤などの各種医薬品や医薬部外品などを患部に塗布したり、冷却剤または制汗剤などを腋の下または首などに塗布することができる薬液供給装置に関する。
【０００２】
【従来の技術および発明が解決しようとする課題】
従来より、消炎鎮痛、制汗など種々な目的のためにエアゾール装置を用いて所定の薬品などを身体の一部に噴霧することが行なわれている。また、夏場のスポーツ観戦などにおいて、暑さ対策のために冷蔵（冷凍）庫で冷やした冷却剤を首すじ筋などに当てることが行なわれている。
【０００３】
しかし、従来のエアゾール装置では、その都度使用者がエアゾール装置の噴射口を身体の適用部位に向けてエアゾール装置のバルブを押圧する必要があり、面倒であった。適用部位が複数存在する場合はなおさらであった。そのため、必要なときに薬品などの追加噴霧が行なわれずに、薬品の効果が充分発揮できないこともあった。
【０００４】
また、冷却剤の場合、冷却能力に限界があるため長時間に亘って冷却効果を得ることができなかった。
【０００５】
本発明は、叙上の事情に鑑み、患部などの所望の部位に医薬品や冷却剤などを適宜塗布したり、直接冷却することができる薬液供給装置を提供することを目的とする。
【０００６】
【課題を解決するための手段】
本発明の薬液供給装置は、薬液、該薬液を封入する容器および該薬液を送り出す部材を有する薬液タンクと、前記薬液を所望の部位に配送し、該薬液を付与する付与部材と、前記薬液タンクから付与部材までの薬液を供給する通路部とを備える薬液供給装置であり、前記薬液タンクがエアゾール製品であり、前記付与部材が、液化ガスを吸収および／または吸着しやすいゲル、高吸水性樹脂、多孔性粉末から選ばれるものを充填したアーチ状の冷却体に前記通路部の一部である吐出チューブが挿通されており、前記吐出チューブが前記冷却体内を蛇行していると共に、前記吐出チューブの側面に、液化ガスを含むエアゾール組成物を前記冷却体に供給できる孔が形成されている。
【０００７】
【発明の実施の形態】
以下、添付図面に基づいて本発明の薬液供給装置を説明する。
【０００８】
図１は本発明の薬液供給装置の一実施の形態の全体構造を説明する斜視図、図２は図１の切替え器の縦断面図、図３は図２の横断面図、図４は横断面の要部拡大図、図５は図１の付与部材と吐出チューブとの接続部の参考例としての構造を示す図、図６は図５の付与部材の背面図、図７は図２の切替え部材の動作を説明するための図、図８は本発明の薬液供給装置の実施の形態の付与部材を示す図、図９は図８の付与部材の使用例を示す図である。
【０００９】
本発明の一実施の形態にかかわる薬液供給装置は、有底筒状の容器本体１の上端開口部にエアゾールバルブ２を装着し、薬液であるエアゾール組成物を封入したエアゾール容器３と、前記エアゾールバルブ２のステム４に嵌着されるアクチュエータ５を押圧状態に保持し、エアゾール組成物を自動的にエアゾール容器３から送り出す押圧部材６とを有する薬液タンクと、前記エアゾール容器３内のエアゾール組成物を所望の部位に適宜付与させる付与部材７と、前記エアゾール容器１と付与部材７のあいだに配置され、前記アクチュエータ５から付与部材７へのエアゾール組成物の供給または停止を切り替える切替え部である切替え器８と、前記アクチュエータ５と切替え器８および該切替え器８と付与部材７をそれぞれ連結する供給チューブ９および吐出チューブ１０の通路部から構成されている。なお、本実施の形態では、前記切替え器８は薬液タンクのアクチュエータ５に接続される供給チューブ９と、付与部材７に接続される吐出チューブ１０とのあいだで、薬液タンクとは別体に設けられ、前記通路部上に配置されているが、本発明においては、これに限定されるものではなく、切替え器に薬液を自動的に送り出す部材を設け、薬液タンクに装着するなど、薬液タンクと切替え器を一体にしてもよい。
【００１０】
前記エアゾール容器３は、ポケットまたはポーチ、リュックサックなどに嵩張らずに収納できる、またはエアゾール容器３をホルダーなどに収納し、このホルダーをベルトや服などの人体に身に着けるものに装着できる形状寸法であれば、とくに限定されるものではない。また、前記エアゾール容器３としては、容器本体１の一重構造エアゾール容器、容器本体１とその内部に収納される内部容器からなる二重構造エアゾール容器または容器本体１とその内面に摺動自在に設けられるピストンからなるピストン型エアゾール容器などであり、エアゾール組成物の種類により適宜選定することができる。この容器本体１としては、アルミニウム製容器、鋼製容器などの金属製容器またはポリエステル製容器などの樹脂製容器などを用いることができる。また、前記エアゾールバルブ２としては、本発明においては、とくに限定されるものではないが、容器本体１の上端開口部に形成されるビード部に取り付けられるマウンティングカップ１１と該マウンティングカップ１１の中央内部に支持される噴射バルブとからなるものを用いることができる。該噴射バルブは、ステムラバーと摺動するように配設されたステム４を有し、該ステム４の摺動部に連通孔が設けられており、該ステム４と連接され、該ステム４の下方に設けられたスプリングによってステムラバーがマウンティングカップ１１に押圧され、容器本体１がマウンティングカップ１１とガスケットとのあいだでシールして固定されている。前記アクチュエータ５の噴射口１２には、供給チューブ９の一端部９ａが固着されているとともに、その他端部９ｂが切替え器８の本体８ａに連結され、この供給チューブ９を通してエアゾール組成物をエアゾール容器３から切替え器８まで供給できるようにされている。前記供給チューブ９および切替え器８は洗浄しやすいように供給チューブ９の取付けは着脱自在にできるようにするのが好ましい。
【００１１】
前記エアゾール組成物を自動的に送り出す押圧部材６としては、前記アクチュエータ５を常時押圧状態にできる構造を有する部材であれば、とくに限定されるものではないが、本実施の形態では、前記マウンティングカップ１１の内側に係止する爪１３と供給チューブ９を通すスリット１４を有するキャップ１５とすることができる。
【００１２】
前記切替え器８は、本体８ａ、蓋体８ｂおよび図２〜４に示されるように内部に切替え部材１６を備えており、前記本体８ａに前記供給チューブ９の他端部９ｂとともに、吐出チューブ１０の一端部１０ａが着脱自在に連結されている。前記切替え部材１６は、３つの切替えスイッチ１７のそれぞれのＯＮ／ＯＦＦにより、３本の吐出チューブ１０の他端部１０ｂに接続される付与部材７のそれぞれの噴射開始と噴射停止を切り替えることができる構造にされている。また、本体８ａには、前記供給チューブ９の端部９ｂから切替え部材１６のそれぞれに連通するための流入通路１８および各切替え部材１６から各吐出チューブ１０の端部１０ａに連通するための流出通路１９が形成されている。
【００１３】
前記切替え部材１６としては、本体８ａに形成される段付き凹所２０に嵌着される外筒２１と、該外筒２１に挿通されるピストンロッド２２と、該ピストンロッド２２を外方へ付勢するコイルスプリング２３と、前記ピストンロッド２２内に形成された流通路２４に連通する流入孔２５と流出孔２６の外周に配置されるガスケット２７、２８から構成されている。前記ガスケット２７は、外筒２１とピストンロッド２２に形成される凹部２９、３０に嵌め込まれて、前記流入孔２５を密閉にする内部シール材であり、前記ガスケット２８は、段差部３１に嵌入されるとともに、蓋体８ｂにより押圧されて、前記流出孔２６を密閉にする外部シール材である。なお、３２は本体８ａと外筒２１とのあいだを密閉にするために配置されるＯリングである。
【００１４】
参考例としての付与部材７が、図５〜６に示されている。この例では、織布、不織布、吸水性樹脂、わた、ティッシュペーパー、ガーゼ、コットンまたは紙などからなり、エアゾール組成物が容易に通過し、即効的にエアゾール組成物の効果を付与したり、エアゾール組成物を吸収し、長時間エアゾール組成物の効果を期待できる塗布材３３を収納する柔軟な包装体３４から作製されており、表面側に開口部３５と背面側に接着布３６とが形成されている。前記チューブ端部１０ｂは、包装体３４と接着布３６とのあいだを通したのち、背面側から塗布材３３に刺し込められて、封止材３７により密閉されている。前記包装体３４および接着布３６の形状寸法は、付与部材７を使用する部位、たとえばひじや膝の間接部、うなじまたは腋の下などにフィットできるように適宜選定することができる。
【００１５】
前記付与部材７は、接着布３６やシールなどを用いて衣類、たとえば肌着や下着、ストッキング、靴下、ぼうし、バンダナ、サポーターなどに固定したり、また予め縫い付けてもよい。さらに人体に直接貼り付けてもよい。この状態で切替え部材１６を操作するため、直接患部に、さらに外出先でも用事にエアゾール組成物を付与することができる。
【００１６】
この例では、まず使用目的に合ったエアゾール組成物、たとえば制汗剤が充填されるエアゾール容器３と使用する部位に適した付与部材７とが切替え器８に供給チューブ９、１０を介して接続されている薬液供給装置を用意する。
【００１７】
ついで付与部材７を使用する部位が、たとえば両腋の下およびうなじの３箇所である場合、予め該当する下着の箇所に接着布３６が貼り付けられるように接着受け部を設ける。
【００１８】
ついで図１および図７に示されるように、適宜塗布したい部位の付与部材７の吐出チューブ１０につながっている切替え部材１６の切替えスイッチ１７を操作して、ピストンロッド２２を押し下げる。これにより、ガスケット２７、２８により密閉されていた流入孔２５および流出孔２６の位置を下げて、該流入孔２５および流出孔２６の密閉状態を開放する。その結果、流入通路１８、流入孔２５、流通路２４、流出孔２６および流出通路１９が連通するため、エアゾール容器１内の噴射圧により制汗剤が前記付与部材７から噴射する。
【００１９】
前記エアゾール容器内に充填されている薬液であるエアゾール組成物としては、人体に有害でない物質であれば、とくに限定されるものではなく、制汗剤、冷却剤、消炎鎮痛剤、かゆみ止め、皮膚保護剤、殺菌消毒剤、害虫忌避剤、消臭剤またはコロンなどを用いることができる。
【００２０】
前記制汗剤としては、クロルヒドロキシアルミニウムなどの制汗成分、酸化亜鉛、アラントインヒドロキシアルミニウム、クエン酸、乳酸などの収斂剤、ｌ−メントール、カンフルなどの清涼剤、タルク、シリカ、ゼオライトなどの粉体、ラウリル酸メタクリレート、安息香酸メチル、ミリスチン酸アセトフェノン、緑茶エキスなどの消臭成分、ミリスチン酸イソプロピル、イソオクタン酸セチル、メチルポリシロキサン、流動パラフィン、界面活性剤などの油分などからなる原液と、液化石油ガスやジメチルエーテル、窒素、炭酸ガスなどの噴射剤とからなるエアゾール組成物を用いることができる。
【００２１】
また、前記冷却剤としては、ｌ−メントール、カンフルなどの清涼剤、酸化亜鉛、アラントインヒドロキシアルミニウム、クエン酸、乳酸などの収斂剤、グリセリン、１，３−ブチレングリコール、ジエチレングリコールなどの保湿剤、エタノール、イソプロピルアルコールなどの低級アルコールなどからなる原液と、液化石油ガスやジメチルエーテル、窒素、炭酸ガスなどの噴射剤とからなるエアゾール組成物を用いることができる。
【００２２】
また、前記消炎鎮痛剤としては、サリチル酸メチル、インドメタシン、カンフル、ジフェンヒドラミン、ピロキシカム、フェルピナク、ケトプロフェン、クロタミトンなどの消炎鎮痛成分やアラントイン、グリチルレチン酸、アズレンなどの抗炎症剤、グリセリン、１，３−ブチレングリコール、ジエチレングリコールなどの保湿剤、エタノール、イソプロピルアルコールなどの低級アルコール、水などからなる原液と、液化石油ガスやジメチルエーテル、窒素、炭酸ガスなどの噴射剤とからなるエアゾール組成物を用いることができる。
【００２３】
また、前記かゆみ止めとしては、リドカイン、ジフェンヒドラミン、酢酸トコフェロール、グリチルリチン酸ジカリウムなどのかゆみ止め成分、パラオキシ安息香酸エステル、フェノキシエタノール、塩化ベンザルコニウム、塩化ベンゼトニウム、塩化クロルヘキシジンなどの殺菌剤、アラントイン、グリシルレチン酸、アズレンなどの抗炎症剤、グリセリン、１，３−ブチレングリコール、ジエチレングリコールなどの保湿剤、エタノール、イソプロピルアルコールなどの低級アルコール、水などからなる原液と、液化石油ガスやジメチルエーテル、窒素、炭酸ガスなどの噴射剤とからなるエアゾール組成物を用いることができる。
【００２４】
また、前記皮膚保護剤としては、尿素などの皮膚軟化剤、グリシン、アラニン、ロイシン、システイン、グルタミン酸などのアミノ酸、ビタミンＡ油、レチノール、塩酸ピリドキシン、ニコチン酸アミド、ｄ,ｌ−α−トコフェロール、酢酸ｄ,ｌ−α−トコフェロール、パントテン酸などのビタミン類、アルブチン、コウジ酸などの美白剤、パラアミノ安息香酸、パラメトキシケイ皮酸イソプロピル、パラメトキシケイ皮酸オクチルなどの紫外線吸収剤、セージエキス、茶エキス、海藻エキス、プラセンタエキス、シルク抽出液などの各種抽出液、グリセリン、１，３−ブチレングリコール、ジエチレングリコーなどの保湿剤、エタノール、イソプロピルアルコールなどの低級アルコール、水などからなる原液と、液化石油ガスやジメチルエーテル、窒素、炭酸ガスなどの噴射剤とからなるエアゾール組成物を用いることができる。
【００２５】
また、前記殺菌消毒剤としては、パラオキシ安息香酸エステル、フェノキシエタノール、塩化ベンザルコニウム、塩化ベンゼトニウム、塩化クロルヘキシジンなどの殺菌剤、エタノール、イソプロピルアルコールなどの低級アルコール、グリセリン、１，３−ブチレングリコール、ジエチレングリコールなどの保湿剤、水などからなる原液と、液化石油ガスやジメチルエーテル、窒素、炭酸ガスなどの噴射剤とからなるエアゾール組成物を用いることができる。
【００２６】
また、前記害虫忌避剤としては、Ｎ，Ｎ−ジエチル−ｍ−トルアミド（ディート）、カプリル酸ジエチルアミドなどの害虫忌避成分、タルク、シリカ、ゼオライトなどの粉体、ミリスチン酸イソプロピル、イソオクタン酸セチル、メチルポリシロキサン、流動パラフィン、界面活性剤などの油分、エタノール、イソプロピルアルコールなどの低級アルコールなどからなる原液と、液化石油ガスやジメチルエーテル、窒素、炭酸ガスなどの噴射剤とからなるエアゾール組成物を用いることができる。
【００２７】
また、前記消臭剤としては、ラウリル酸メタクリレート、安息香酸メチル、ミリスチン酸アセトフェノン、緑茶エキスなどの消臭成分、ｌ−メントール、カンフルなどの清涼剤、酸化亜鉛、アラントインヒドロキシアルミニウム、クエン酸、乳酸などの収斂剤、グリセリン、１，３−ブチレングリコール、ジエチレングリコールなどの保湿剤、エタノール、イソプロピルアルコールなどの低級アルコールなどからなる原液と、液化石油ガスやジメチルエーテル、窒素、炭酸ガスなどの噴射剤とからなるエアゾール組成物を用いることができる。
【００２８】
また、前記コロンとしては、各種香料、ラウリル酸メタクリレート、安息香酸メチル、ミリスチン酸アセトフェノン、緑茶エキスなどの消臭成分、グリセリン、１，３−ブチレングリコール、ジエチレングリコールなどの保湿剤、エタノール、イソプロピルアルコールなどの低級アルコール、水などからなる原液と、液化石油ガスやジメチルエーテル、窒素、炭酸ガスなどの噴射剤とからなるエアゾール組成物を用いることができる。
【００２９】
なお、この例では、切替え部材の切替えに押し下げ式切替えスイッチが設けられているが、流入通路から流出通路までの通路を連通させることができる構造であれば、回転式切替えスイッチにすることができる。また、本実施の形態における薬液供給装置は、３つの切替えスイッチのうち、いずれかを選定してエアゾール組成物を噴射させる部位を切り替える多点式薬液供給装置にされているが、１つの切替えスイッチを必要に応じて作動させて１つの部位にエアゾール組成物を適宜付与させる一点集中型薬液供給装置とすることもできる。
【００３０】
また、以上の例にかかわる薬液供給装置は、エアゾール組成物を所望の部位に塗布させるものであるが、本発明においては、１つの部位を冷却させる一点集中型薬液供給装置または多点式薬液供給装置とすることができる。たとえば一点集中型薬液供給装置で首の回りを適宜冷却する場合、図８に示されるように、ゲル、高吸水性樹脂、多孔性粉末など、液化ガスを吸収および／または吸着しやすく、低温状態の維持性能の高いものを充填させたアーチ状の冷却体５１に吐出チューブ５２が気密状態に挿通されている付与部材５３を用いる。また、冷却効果を高めるために、この吐出チューブ５２を冷却体５１内で蛇行させるなどして、付与部材５３内における吐出チューブ５２の容積を多くするのが好ましい。この吐出チューブ５２の先端には、冷却効果が低下したエアゾール組成物を排出して、再度冷却体５１内のチューブ５２にエアゾール組成物を一時保持させることができるように、ボールと該ボールをチューブ孔に常時付勢するコイルスプリングとからなる逆止弁５４が装着されている。また、短時間で急冷させる場合には、吐出チューブ５２の側面に冷却体５１へエアゾール組成物が供給できる孔を設けてもよい。この場合、吸収体が液化ガスと直接接触するため吸収体が冷却される時間が非常に短くなる。本実施の形態にかかわる薬液供給装置を使用する場合には、図９に示されるように、予めシャツ５５の襟首５６に沿って前記付与部材５３を保持させるための収納部５７を縫い付けておく。ついで付与部材５３を収納部５７の開口５８から挿入したのち、該開口５８の近傍に形成した一対の封止部５９により該開口５８を閉じる。このとき、吐出チューブ５２に大きな変形を与えずに収納部５７に保持するために該吐出チューブ５２を切欠き部６０に通すのが好ましい。そして、切替え部材の切替えスイッチを操作して、エアゾール容器内の噴射圧により冷却剤を前記冷却体５１内に噴射し、そののち暑苦しいときには、適宜噴射して首筋を冷やす。
【００３４】
さらに本発明では、薬液タンクを複数個備え、各薬液タンクに異なる薬剤を封入し、薬剤も適宜選択することができるように、切替え器に各薬液タンクからの供給チューブを接続し、それぞれの供給チューブに対して切替えスイッチを設けることもできる。
【００３５】
【発明の効果】
以上説明したとおり、本発明によれば、切替え部材を操作するだけで、制汗剤や消炎鎮痛剤などの薬液を腋の下または背中などの必要な箇所に直接塗布することができる。
【００３６】
また、嵩張らずに薬液供給装置を携帯できるため、電車内や外出先でも容易に薬液を付与することができる。
【図面の簡単な説明】
【図１】  本発明の薬液供給装置の一実施の形態の全体構造を説明する斜視図である。
【図２】  図１の切替え器の縦断面図である。
【図３】  図２の横断面図である。
【図４】  横断面の要部拡大図である。
【図５】  図１の参考例としての付与部材と吐出チューブとの接続部の構造を示す図である。
【図６】  図５の付与部材の背面図である。
【図７】  図２の切替え部材の動作を説明するための図である。
【図８】  本発明の薬液供給装置の実施の形態の付与部材を示す図である。
【図９】  図８の付与部材の使用例を示す図である。
【符号の説明】
１  容器本体
２  エアゾールバルブ
３  エアゾール容器
４  ステム
５  アクチュエータ
６  押圧部材
７  付与部材
８  切替え器
８ａ  本体
８ｂ  蓋体
９  供給チューブ
９ａ、９ｂ  一端部
１０  吐出チューブ
１０ａ、１０ｂ  端部
１１  マウンティングカップ
１２  噴射口
１３  爪
１４  スリット
１５  キャップ
１６  切替え部材
１７  切替えスイッチ
１８  流入通路
１９  流出通路
２０  段付き凹所
２１  外筒
２２  ピストンロッド
２３  コイルスプリング
２４  流通路
２５  流入孔
２６  流出孔
２７、２８  ガスケット
２９、３０  凹部
３１  段差部
３２  Ｏリング
３３  塗布材
３４  包装体
３５  開口部
３６  接着布
３７  封止材
【図１】
0004755355.tif 000002
【図２】
0004755355.tif 000003
【図３】
0004755355.tif 000004
【図４】
0004755355.tif 000005
【図５】
0004755355.tif 000006
【図６】
0004755355.tif 000007
【図７】
0004755355.tif 000008
【図８】
0004755355.tif 000009
【図９】
0004755355.tif 000010